(57)【要約】【課題】透光表示板をを大きくし、斜めから見た場合でも、発光表示の視認性が良い表示装置の提供。【解決手段】光を発光する発光手段２１を有する発光器具２と、発光手段２１に対し入射面３１ａ側を位置させた導光プリズム３１と導光プリズム３１の出射面側３１ａに位置する透光表示板３２とを有する発光表示部材３と、発光器具２を複数取付ける取付枠４と、を備えた表示装置１において、導光プリズム３１は、前記光を入射する入射面３１ａと、入射面３１ａから垂直に入射する光の一部を垂直に出射する出射面３１ｂと、入射面３１ａから垂直に入射した残りの光を反射する第１の反射面３１ｃと、前記第１の反射面３１ａが反射した光を出射面３１ａから垂直に出射する第２反射面３１ｄと、を有する立体形状にした。【選択図】  図１
2004265682.tif 000002
【特許請求の範囲】
【請求項１】
光を発光する発光手段を有する発光器具と、前記発光手段に対し入射面側を位置させた導光プリズムと前記導光プリズムの出射面側に位置する透光表示板とを有する発光表示部材と、前記発光器具を複数取付ける取付枠と、を備えた表示装置において、前記導光プリズムは、前記光を入射する入射面と、入射面から垂直に入射する光の一部を垂直に出射する出射面と、入射面から垂直に入射した残りの光を反射する第１の反射面と、前記第１の反射面が反射した光を出射面から垂直に出射する第２反射面と、を有する立体形状であることを特徴とする表示装置。
【請求項２】
前記導光プリズムは、前記入射面と平行な平行部と、前記第１反射面と平行な傾斜部と、を有する第２反射面を備えたことを特徴とする請求項１記載の表示装置。
【請求項３】
前記取付枠の長手方向の一方の端部に取付ける前記発光表示部材と、他方の端部に取付ける前記発光表示部材と、を１８０°回転して取付けたものであることを特徴とする請求項１又は請求項２記載の表示装置。
【請求項４】
前記発光器具は、反射光を前記導光プリズムの入射面に垂直に入射させる反射鏡を備えたことを特徴とする請求項１乃至請求項３いずれかに記載の表示装置。
【請求項５】
前記透光表示板は、光を拡散する拡散部と、光を透過する透過部と、を備えたことを特徴とする請求項１乃至請求項４いずれかに記載の表示装置。
【発明の詳細な説明】
【０００１】
【発明の属する技術分野】
本発明は、電気機器等のスイッチがオンの場合に発光表示するような表示装置、あるいは、スイッチがオフの場合に発光表示するような表示装置に関するものである。
【０００２】
【従来の技術】
従来、表示装置として、例えば、特開平１０−３２６５３７号公報に記載されるものがある。この表示装置を図１１乃至図１３に基づいて説明する。
【０００３】
表示装置は、光を発光する発光手段（図示せず）と透光窓２４と光を導光する導光プリズム２００と発光表示部材１１３とを有しており、ピアノハンドル１０３と押し釦スイッチ１０２とを備えたピアノハンドルスイッチに内蔵されている。そして、ピアノハンドルスイッチは、取付枠４に取付けられる。この表示装置は、ピアノハンドル１０３が押し釦スイッチ１０２の接点切り替えをおこない可動接点（図示せず）が固定接点（図示せず）から離れてオフ状態となる時に発光する。そして、前記発光手段による発光はピアノハンドル１０３に設けた発光表示部材１１３で視認できるようにしたものである。
【０００４】
押し釦スイッチ１０２は、図１１に示すように、取付枠４の上下方向に上用、中用、下用の３個並べて取付けられる。また、押し釦スイッチ１０２に取付けるピアノハンドル１０３の上下長さは、操作性を良くするため押釦スイッチ５よりも上下方向の長さを長くしてある（約１．３倍）。そして、上用、中用、下用のいずれにも共通して使用することができるものである。
【０００５】
この表示装置は、押し釦スイッチ１０２に発光手段が設けてあり、前記発光手段からの光が導光プリズム２００に入射するための光透過性樹脂カバー（図示せず）が嵌め込まれた発光表示部材１１３が押し釦スイッチ１０２に設けられている。また、ピアノハンドル１０３には、前記発光手段が発光表示を行なう発光表示部材１１３が設けてある。図１１に示すように、上用又は下用の押し釦スイッチ１０２にピアノハンドル１０３を取付ける場合は、発光手段が直接発光表示部材１１３を表示することができない。ゆえに、ピアノハンドル１０３に導光プリズム２００を取付け、導光プリズム２００が発光手段の光を発光表示部材１１３に導光している。
【０００６】
導光プリズム２００の一例を図１２に示す。この導光プリズム２００は、出射面２０１が三角波状をした細かい凹凸形状となっている。凹凸形状となった出射面２０１から上下両側方に側方突出プリズム部２０７が設けてあり、側方突出プリズム部２０７は、出射面２０１の中央を中心位置として仮想水平線に対して線対称の形を有している。この側方突出プリズム部２０７には上用の押釦スイッチ１０２又は下用の押釦スイッチ１０２からの光を入射する入射面２０３を出射面２０１の凹形状部分と平行に設け、入射面２０３から内部に入った光を側方突出プリズム部２０７内の第１反射面２０４と、第２反射面２０５で反射させて出射面２０１から出射するようになっている。また凹凸形状の出射面２０１と反対側には中用の押釦スイッチ１０２からの光を入射する凹部からなる入射面２０２を設けてあり、この入射面２０２の凹部の両側内壁面が傾斜して入射面２０３につながっている。その傾斜面が導光プリズム２００内に導光された光の第２反射面２０５となっている。
【０００７】
発光表示部材１１３は、図１３に示すように、透光表示板１１３ａと、この周囲の枠状の固定部１１３ｂと、からなり、固定部１１３ｂを１次成形し、透光表示板１１３ａを２次成形した２重成形品からなものである。固定部１１３ｂの裏面には仮固定用ピン１１３ｃと、超音波熱着に用いる突出部１１３ｄを形成する。
【０００８】
【特許文献１】
特開平１０−３２６５３７号公報
【０００９】
【発明が解決しようとする課題】
特許文献１に開示される表示装置に使われている導光プリズムでは、上用の入射面と、中用の入射面と、下用の入射面と、が別々に形成されており、そして、出射面が共用なっている。このために、出射面は、ピアノハンドルスイッチの短手方向に対して大きくすることができないので、透光表示板もピアノハンドルスイッチの短手方向に対して大きくすることができない。従って、斜めから透光表示板を見た場合に発光表示の視認性が悪くなる場合がある。
【００１０】
本発明は、かかる事由に鑑みてなしたものであり、その目的とするところは、透光表示板をピアノハンドルスイッチの外形寸法と同程度に大きくでき、斜めから見た場合でもよく見えるとともに、全体として発光表示の視認性が良い表示装置を提供することにある。
【００１１】
【課題を解決するための手段】
上記問題点を解決するため、請求項１記載の発明は、光を発光する発光手段を有する発光器具と、前記発光手段に対し入射面側を位置させた導光プリズムと前記導光プリズムの出射面側に位置する透光表示板とを有する発光表示部材と、前記発光器具を複数取付ける取付枠と、を備えた表示装置において、前記導光プリズムは、前記光を入射する入射面と、入射面から垂直に入射する光の一部を垂直に出射する出射面と、入射面から垂直に入射した残りの光を反射する第１の反射面と、前記第１の反射面が反射した光を出射面から垂直に出射する第２反射面と、を有する立体形状にしたものである。
【００１２】
請求項２記載の発明は、請求項１の構成において、前記入射面と平行な平行部と、前記第１反射面と平行な傾斜部と、を有する第２反射面を備えたものである。
【００１３】
請求項３記載の発明は、請求項１又は請求項２の構成において、前記取付枠の長手方向の一方の端部に取付ける前記発光表示部材と、他方の端部に取付けられる前記発光表示部材と、を１８０°回転して取付ける発光表示部材と、を１８０°回転して取付けたものである。
【００１４】
請求項４記載の発明は、請求項１乃至請求項３いずれかの構成において、前記発光器具は、反射光を前記導光プリズムの入射面に垂直に入射させる反射鏡を備えたことを備えたものである。
【００１５】
請求項５記載の発明は、請求項１乃至請求項４いずれかの光を拡散する拡散部と、光を透過する透過部と、を備えたものである。
【００１６】
【発明の実施の形態】
（第１の実施形態）
第１の実施形態の表示装置１を、図１乃至図８に基づいて説明する。
【００１７】
表示装置１は、図１に示すように、発光器具２と、発光表示部材３と、取付枠４と、を備えている。
【００１８】
発光器具２は、図１に示すように、後述する発光手段２１とボディ２２と透光窓２４を有するカバー２３と反射鏡２５とを有する。そして、既存の配線器具の寸法と同等の形状で形成している。
【００１９】
発光手段２１は、例えば、ネオンランプであり、後述する反射鏡２５に取付ける。このものは、発光手段２１の端部から２本のリードが出ていて、片側のリードには抵抗２１ａが接続されている。そして、機器のスイッチがオンの場合に発光手段２１が発光するように機器と配線する場合と機器のスイッチがオフの場合に発光手段２１が発光するように機器と配線する場合がある。
【００２０】
ボディ２２は、例えば、合成樹脂よりなり、図１に示すように、長方形の底面と底面の各辺より延設される側面からなる箱体をなしている。このものは、箱体の中空部分には複数の収納部（図示せず）が形成され、速結端子及びリードに接続される抵抗２１ａ等を収納している。また、底面には発光手段２１と機器との配線を行なうための速結端子に対応した配線孔（図示せず）が設けられている。また、反射鏡２５を取付けるための係止孔（図示せず）が側面上端部に設けられている。そして、後述するカバー２３と結合するために長手側の両側面には、係止突起２２ｂが設けられており、その上端には傾斜面２２ｃが設けられている。
【００２１】
カバー２３は、例えば、合成樹脂よりなり、図１に示すように、長方形の上面と上面の各辺より延設される側面からなる上面が開口した箱体をなしている。その開口が透光窓２４となり、そこには、光透過性樹脂カバー（図示せず）が嵌め込まれている。透光窓２４は、発光器具２の光を後述する導光プリズム３１に入射させるためのである。
【００２２】
また、カバー２３の短手側の両側面には、後述する取付枠４に着脱自在に取付可能とするために取付枠４に対応した一対の係止爪２３ａを各々突設してあり、一方の係止爪２３ａの背部には空所２３ｂを形成し、係止爪２３ａが背方へ弾性的にたわむようにしてある。従って、取付枠４に係止爪２３ａを係止させて発光器具２を着脱自在に取付けることができる。
【００２３】
さらに、カバー２３の長手側の両側面には、ボディ２２の係止孔に対応した２組の係止片２３ｃが延設され、係止孔２３ｄが設けられている。ボディ２２とカバー２３の結合は、垂下した係止片２３ｃの係止孔２３ｄにボディ２２の側面に設けられている係止突起２２ｂを係止させることによりおこない、係止時には係止片２３ｃの弾性と係止突起２２ｂの上端の傾斜面２２ｃを利用して係止ができるようになっている。
【００２４】
さらに、後述する発光表示部材３を取付けるために、カバー２３の上面の短手側の両端部には横向きとなった２個の軸部２３ｆが所定間隔を開け一体的に突設してある。
【００２５】
反射鏡２５は、例えば、ＡＢＳ樹脂をクロムメッキしたものよりなり、図１に示すように、長方形の底面と底面の各辺より延設される側面からなり、側面内部には反射面２５ａが設けられている。また、反射鏡２５には、ボディ２２に取付けるために係止孔に対応した係止片２５ｃが側面下部に延設されている。そして反射面２５ａには、図２に示すように、発光手段２１と配線するための配線孔２５ｄが設けられている。また、発光手段２１は、発光手段２１の端部からでているリードを配線孔２５ｄに通すことにより反射鏡２５に固定している。反射面２５ａは、図３に示すように、発光手段２１の光が反射面２５ａに当たるとそれを透光窓２４（図３には図示せず）に対して垂直的な光として反射する。
【００２６】
発光表示部材３は、図１に示すように、導光プリズム３１と、透光表示板３２と、表示カバー３３と、を有している。そして、発光器具２に取付ける発光表示部材３の上下方向の長さは、従来技術で説明したピアノハンドル１０３と同じ長さをなしている。
【００２７】
導光プリズム３１は、例えば、アクリル樹脂からなり、表示カバー３３に取付ける。導光プリズム３１の屈折率は約１．５である。そして、導光プリズム３１は、スネルの法則に従い入射面３１ａから光を入射し、出射面３１ｂから光を出射する。導光プリズム３１は、図４に示すように、入射面３１ａと出射面３１ｂと第１反射面３１ｃと第２反射面３１ｄを有し、側面視において、入射面３１ａを底辺とし出射面３１を対向辺とする平行四辺形をなす立体形状である。また、入射面３１ａは、透光窓２４と同等の大きさを有している。
【００２８】
透光表示板３２は、例えば、光学用透明樹脂よりなり、図１に示すように、長方形の短辺と短辺間に放物線状をなす上面と、長辺側の両側面より上面に延設する放物線状をなす側面と、を有する中空の形状をなしている。そして、このものは、導光プリズム３１の出射面３１ｂと同等の大きさを有している。上面は、図５に示すように、光を拡散する拡散部３２ａと光を透過する透過部３２ｂとを交互に形成している。また、側面は、拡散部３２ａから形成されている。そして、長方形の両短辺には、後述する表示カバー３３に取付けるための取付片３２ｃがそれぞれ延設されている。拡散部３２ａは、図６に示すように、視認性を向上させる場合に使うものである。また、透過部３２ｂは、図６に示すように、正面から見た場合の輝度の低下を抑えるものである。
【００２９】
表示カバー３３は、例えば、合成樹脂よりなり、図１に示すように、長方形の上面と上面の各辺より延設される側面からなる上面が開口した箱体をなしている。その開口に透光表示板３２が取付けられる。また、透光表示板３２を取付けるため取付片３２ｃに対応した取付孔（図示せず）が設けられている。
【００３０】
表示カバー３３の両短辺側の裏面端部には、下開口がはめ込み用開口部となった穴３４ａと金属製の軸受け用ばね体３４ｂとで構成される軸受け部３４が設けてある。軸受け部３４は、所定間隔の一対の軸部２３ｆに対応する所定間隔で４個それぞれの裏面に設けられている。その内の２個の軸受け部３４に対応する軸受け用ばね体３４ｂは一体に連結されている。
【００３１】
取付枠４は、例えば、金属製板材よりなり、図１に示すように、長方形の枠状をなしている。長手側の両側面より発光器具２を取付けるための取付辺４ａが延設され、カバー２３の係止爪２６に対応した係止孔４ｂが設けられている。そして、取付枠４は、図７に示すように、発光器具２を上下方向に上用、中用、下用、の３個取付けることができる。この取付枠４には発光器具２を１個取付ける場合、２個取付ける場合、３個取付ける場合がある。そして、発光表示部材３を発光器具２に取付ける場合は、上用、中用、下用のいずれの発光器具２にも共通して使用することができるようになっている。また、取付枠４は、既存の配線器具を取付けることができる。
【００３２】
次に、発光表示部材３の取付手順を説明する。
中用の発光器具２に発光表示部材３を取付ける場合は、図７に示すように、中央の２個の軸受け部３４に発光器具２の２個の軸部２３ｆをはめ込んで取付ける。このことにより中用の発光器具２の中央と発光表示部材３の中央とが一致するようになる。この場合、発光表示部材３は、上用及び下用の発光器具２の一部を覆うことになる。
【００３３】
また、上用の発光器具２に発光表示部材３を取付ける場合は、図７に示すように、下側の２個の軸受け部３４に発光器具２の２個の軸部２３ｆをはめ込んで取付ける。このことにより上用の発光器具２の中央よりも発光表示部材３の中央が上になるように取付けられる。
【００３４】
また、下用の発光器具２に発光表示部材３を取付ける場合は、図７に示すように、上側の２個の軸受け部３４に発光器具２の２個の軸部２３ｆを嵌め込んで取付ける。このことにより下用の発光器具２の中央よりも発光表示部材３の中央が下になるように取付けられる。
【００３５】
次に、導光プリズム３１に入射した光の光路について説明する。
図８は、取付枠４に上用、中用、下用の３個の表示装置１を取付けた場合に、それぞれの導光プリズム３１に入った光の光路を示すものである。この場合は、上用の発光表示部材３と下用の発光表示部材３とは、１８０°回転、すなわち、中用の表示装置１の中心点に対して点対称に発光器具２に取付けられている。
【００３６】
上用及び下用の導光プリズム３１の入射面３１ａに対して垂直な光が入射した場合は、入射面３１ａより入射した光の一部が第１反射面３１ｃで反射し、反射した光は第２反射面３１ｄで反射し出射面３１ｂから垂直に出射する。入射面３１ａより入射した残りの光は、出射面２５ｂから出射する。また、中用の導光プリズム３１の入射面３１ａに対して垂直な光が入射した場合は、透光窓２４から入射する光の約半分の光は入射面３１ａから入射し出射面３１ｂから出射する。残りの約半分は、第２反射面３１ｄに入射して、出射面３１ｂから出射する。
【００３７】
また、上用、下用の導光プリズム３１に入射面３１ａに垂直でない光が入射した場合は、入射面３１ａより入射した光のうち第１反射面３１ｃにあたらない光は、出射面３１ｂから出射する。
【００３８】
また、中用の導光プリズム３１の入射面３１ａに垂直でない光が入射した場合は、入射面２５ａより入射した光のうち第１反射面３１ｃにあたらない光は、出射面３１ｂから出射される。また、第２反射面３１ｄより入射した光は出射面３１ｂから出射する。
【００３９】
導光プリズム３１より出射した光は、透光表示板３２の拡散部３２ａに当たると入射した光を拡散するので視認性を向上させている。また、透過部３２ｂでは、入射した光を減衰せずに透過するので正面から見た場合の輝度の低下を抑えている。
【００４０】
このようにすると発光表示部材３は、従来技術で説明した、ピアノハンドルスイッチと同等の形状を有するとともに、上用、中用、下用のいずれにも共通して使用することができる。また、透光表示板３２は、最大で発光器具２の前面部の外形寸法と同程度の大きさにすることができる。
【００４１】
従って、透光表示板を斜めから見た場合でも良く見えるとともに、全体として発光表示の視認性がよくなる。
【００４２】
なお、発光手段２１は、発光ダイオードなどの半導体素子や蛍光ランプ等の放電管を使用してもよい。また、発光手段２に直接電圧を印加しても破壊しない素子を使用する場合は、抵抗２１ａを接続しなくてもよい。また、発光手段２１の光度が高い場合、または、発光する方向に指向性がある場合は、反射鏡２５を使用なくてもよい。
【００４３】
なお、光透過性樹脂カバーは、施工時等につく傷や埃を防ぐためのもので、必要なければ取外してもよい。
【００４４】
なお、本実施形態では取付枠４に上用、中用、下用の表示装置１をそれぞれ取付けているが、必要に応じて表示装置１を取外したり、表示装置１を従来技術で説明したピアノハンドルスイッチ等の器具に置き換えてもよい。
【００４５】
（第２の実施形態）
第２の実施形態の表示装置１を図９乃至図１０基づいて説明する。
【００４６】
この実施形態は、前述した第１の実施形態とは導光プリズムの形状のみ変えたものであり、それら以外の構成要素は第１の実施形態と同様であるので説明は省略する。
【００４７】
導光プリズム３１は、図９に示すように、入射面３１ａと出射面３１ｂと第１反射面３１ｃと第２反射面３１ｄを備えている。入射面３１ａは、出射面３１ｂより小さくなっている。また、第２反射面３１ｄは、入射面３１と平行な平行部３１ｅと第１反射面と平行な傾斜部３１ｆを交互に形成している。また、出射面３１ｂは、透光窓２４と同等の大きさを有している。
【００４８】
図１０は、取付枠４に上用、中用、下用の３個の表示装置１を取付けた場合に、それぞれの導光プリズム３１に入った光の光路を示すものである。
【００４９】
上用及び下用の導光プリズム３１の入射面３１ａに対して垂直な光が入射した場合は、入射面３１ａより入射した光の一部が、第１反射面３１ｃで反射し、傾斜面３１ｆで反射し出射面３１ｂから垂直に出射される。また、入射面３１ａに入射した残りの光と面３１ｅより入射した光は、出射面３１ｄから出射する。また、中用の導光プリズム３１の入射面３１ａに対して垂直な光が入射した場合は、入射面３１ａと面３１ｅより入射した光が出射面３１ｄから出射する。
【００５０】
また、上用、下用の導光プリズム３１の入射面３１ａに垂直でない光が入射した場合は、入射面３１ａより入射した光のうち第１反射面３１ｃにあらない光と傾斜面３１ｆに入射した光が、出射面３１ｂから出射される。
【００５１】
また、中用の導光プリズム３１の入射面３１ａに垂直でない光が入射した場合は、入射面３１ａより入射した光のうち第１反射面３１ｃにあたらない光と面３１ｅに入射した光が出射面３１ｂから出射される。
【００５２】
従って、上用、中用、下用の導光プリズム３１の入射面３１ａに垂直な光が入射した場合は、出射面３１ｄに垂直な光として出射するので上用、中用、下用の発光表示部材を第１の実施形態と比べてより均一に発光することができる。
【００５３】
【発明の効果】
請求項１記載の発明にあっては、表示装置が、光を入射する入射面と、入射面から垂直に入射する光の一部を垂直に出射する出射面と、入射面から垂直に入射した残りの光を反射する第１の反射面と、第１の反射面が反射した光を出射面から垂直に出射する第２反射面と、を有する立体形状の導光プリズムを備えたので、入射面より入射した光は、入射面に対して第１反射面と第２反射面に沿った位置にある出射面から出射する、すなわち、発光手段が発光した位置より第１反射面と第２反射面に沿って移動した位置で透光表示板にたることになり、透光表示板が大きくでき、表示装置の視認性が良くなる。例えば、透光表示板は、発光器具の前面部の外形寸法と同程度に大きくすることができる。
【００５４】
請求項２記載の発明は、請求項１記載の効果に加え、導光プリズムは、入射面と平行な平行部と、第１反射面と平行な傾斜部と、を有する第２反射面を備えたので、上用、中用、下用の導光プリズムの入射面に垂直な光は、出射面に垂直な光として出射するので、上用、中用、下用の発光表示部材をより均一に発光させることができる。
【００５５】
請求項３記載の発明は、請求項１又は請求項２記載の効果に加え、発光表示部材は、取付枠の長手方向の一方の端部に取付ける発光表示部材と、他方の端部に取付ける発光表示部材と、を１８０°回転して取付けるようにしたので、上用、中用、下用の発光表示部材を共通にすることができる。
【００５６】
請求項４記載の発明は、請求項１及乃至請求項３のいずれかに記載の効果に加え、反射光を導光プリズムの入射面に垂直に入射させる反射鏡を備えたので、反射鏡から反射する光で透光表示板を発光することができる。
【００５７】
請求項５記載の発明は、請求項１乃至請求項４記載のいずれかにの効果に加え、光を拡散する拡散部と、光を透過する透過部と、を備えたので、透光表示板を斜めから見た場合の視認性を向上させるとともに透光表示板を正面から見た場合の輝度低下がない。
【図面の簡単な説明】
【図１】第１実施形態の分解斜視図である。
【図２】（ａ）は同上の反射鏡の正面図、（ｂ）は同上のＡ−Ａの断面図、（ｃ）は同上のＢ−Ｂの断面図である。
【図３】（ａ）、（ｂ）は同上の反射鏡の反射光路の説明図である。
【図４】（ａ）は同上の導光プリズムの斜視図、（ｂ）は同上の側面図。
【図５】（ａ）は同上の透光表示板の上面図、（ｂ）は同上のＡ−Ａの断面図である。
【図６】同上の透光表示板の光路の説明図である。
【図７】同上の発光器具と発光表示部材との取付関係説明図である。
【図８】同上の導光プリズムに入った光の光路図である。
【図９】（ａ）は第２の実施形態の導光プリズムの斜視図、（ｂ）は同上の側面図。
【図１０】同上の導光プリズムに入った光の光路図である。
【図１１】従来の表示装置の透光窓と発光表示部材の関係図である。
【図１２】同上の導光プリズムの説明図である。
【図１３】同上の発光表示部の斜視図である。
【符号の説明】
１      表示装置
２      発光器具
３      発光表示部材
４      取付枠
２１    発光手段
２５    反射鏡
３１    導光プリズム
３１ａ  入射面
３１ｂ  出射面
３１ｃ  第１反射面
３１ｄ  第２反射面
３１ｅ  平行部
３１ｆ  傾斜部
３２    透光表示板
３２ａ  拡散部
３２ｂ  透過部
【図１】
2004265682.tif 000003
【図２】
2004265682.tif 000004
【図３】
2004265682.tif 000005
【図４】
2004265682.tif 000006
【図５】
2004265682.tif 000007
【図６】
2004265682.tif 000008
【図７】
2004265682.tif 000009
【図８】
2004265682.tif 000010
【図９】
2004265682.tif 000011
【図１０】
2004265682.tif 000012
【図１１】
2004265682.tif 000013
【図１２】
2004265682.tif 000014
【図１３】
2004265682.tif 000015